【誤訳訂正書】
【提出日】平成26年6月9日(2014.6.9)
【誤訳訂正１】
【訂正対象書類名】特許請求の範囲
【訂正対象項目名】全文
【訂正方法】変更
【訂正の内容】
【特許請求の範囲】
【請求項１】
複数のワイヤレス通信デバイス間のプッシュツートーク（ＰＴＴ）グループ通信においてメディアを共有するためのシステムであって、
ワイヤレス通信ネットワーク上での直接グループ通信において互いに通信するワイヤレス通信デバイスの通信グループのメンバーである少なくとも１つのワイヤレス通信デバイスであって、グループ向けメディアを前記通信グループの他のメンバーに選択的に送信するように構成された少なくとも１つのワイヤレス通信デバイスと、
前記ワイヤレス通信ネットワーク上の通信グループに関する情報を記憶するように構成された少なくとも１つのグループ通信コンピュータデバイスであって、前記情報が１つまたは複数の通信グループの前記メンバーワイヤレス通信デバイスを含み、前記グループ通信コンピュータデバイスが、通信グループの送信側ワイヤレス通信デバイスからグループ向けメディアを選択的に受信し、前記グループ向けメディアを前記送信側ワイヤレス通信デバイスの前記通信グループの前記他のメンバーワイヤレス通信デバイスに送信するように構成された、少なくとも１つのグループ通信コンピュータデバイスと、
前記グループ通信コンピュータデバイスと通信するデータストアとを具備し、前記少なくとも１つのグループ通信コンピュータデバイスが、前記送信側ワイヤレス通信デバイスから受信したグループ向けメディアのサイズに基づいて、前記グループ向けメディアを前記データストアに送信すべきかどうかを決定し、データ配信サイズ制限を上回るグループ向けメディアを前記データストアに送信し、前記データストアが、前記少なくとも１つのワイヤレス通信デバイスから前記サイズ制限を上回るグループ指定されたメディアを受信し、前記グループ向けメディアの送信先である前記通信グループのメンバーが前記ワイヤレス通信ネットワーク上で前記記憶されたグループ向けメディアにアクセスすることを選択的に許可するように構成された、システム。
【請求項２】
前記少なくとも１つのグループ通信コンピュータデバイスが、さらに、前記通信グループの前記他のメンバーワイヤレス通信デバイスに、データ配信サイズ制限を上回らないグループ向けメディアを直接送信するように構成された、請求項１に記載のシステム。
【請求項３】
前記グループ向けメディアがグラフィックメディアである、請求項１に記載のシステム。
【請求項４】
前記グループ向けメディアがストリーミングメディアである、請求項１に記載のシステム。
【請求項５】
前記グループ通信コンピュータデバイスが、ハイパーリンクを前記通信グループの前記他のメンバーワイヤレス通信デバイスに送信するようにさらに構成され、前記ハイパーリンクが、前記データストアの前記記憶されたグループ向けメディアへのリンクを提供する、請求項１に記載のシステム。
【請求項６】
前記データストアが、前記通信グループの前記メンバーワイヤレスデバイスの各々との通信リンクを確立したときに、前記グループ向けメディアを前記通信グループの前記メンバーワイヤレスデバイスの各々に自動的に送信するように構成された、請求項１に記載のシステム。
【請求項７】
前記ワイヤレス通信デバイスが、通信グループ識別データを前記グループ通信コンピュータデバイスに送信するようにさらに構成され、グループ通信デバイスが、前記グループ向けメディアを前記通信グループ識別データ中で識別された前記メンバーワイヤレス通信デバイスに送信するようにさらに構成された、請求項１又は請求項２に記載のシステム。
【請求項８】
ワイヤレス通信デバイスがグループ向けメディアを送信するより前に、前記ワイヤレス通信デバイスが、前記グループ通信コンピュータデバイスに通信グループのメンバーデータを要求するようにさらに構成され、前記グループ通信コンピュータデバイスが、通信グループ識別データを前記要求側ワイヤレス通信デバイスに送信するようにさらに構成された、請求項１又は請求項２に記載のシステム。
【請求項９】
前記ワイヤレス通信デバイスが前記通信グループの前記メンバーワイヤレス通信デバイスとのグループ通信に関与し、前記ワイヤレス通信デバイスが前記グループ通信中にグループ向けメディアを送信するようにさらに構成された、請求項１に記載のシステム。
【請求項１０】
前記グループ通信コンピュータデバイスが、前記送信側ワイヤレス通信デバイスから受信したグループ向けメディアのタイプにさらに基づいて、前記グループ向けメディアを前記データストアに送信すべきかどうかを決定するようにさらに構成された、請求項１に記載のシステム。
【請求項１１】
前記グループ向けメディアのオリジネータは、通信グループの少なくとも１つのメンバーワイヤレスデバイスが前記グループ向けメディアを受信すると、グループ向けメディア配信が成功したことが通知される、請求項１又は請求項２に記載のシステム。
【請求項１２】
前記通信グループの前記メンバーワイヤレスデバイスのうちの少なくとも１つが前記グループ向けメディアを受信すると、前記グループ通信コンピュータデバイスが、さらに、前記通信グループの少なくとも１つのメンバーワイヤレス通信デバイスが前記グループ向けメディアを受信したという肯定応答を、前記グループ向けメディアを送信した前記ワイヤレス通信デバイスに送信するように構成された、請求項２に記載のシステム。
【請求項１３】
前記グループ通信コンピュータデバイスが、前記グループ向けメディアのプレビューを、前記グループ向けメディアの送信先である前記通信グループのメンバーワイヤレス通信デバイスに送信するようにさらに構成された、請求項１に記載のシステム。
【請求項１４】
ワイヤレス通信ネットワークを通して１つ以上のワイヤレス通信デバイスにアクセス可能なプッシュツートーク（ＰＴＴ）グループ通信コンピュータデバイスであって、前記グループ通信コンピュータデバイスは、通信グループのメンバーワイヤレス通信デバイスに関する情報を格納するように構成され、前記グループ通信コンピュータデバイスは、さらに、
通信グループの送信側ワイヤレス通信デバイスからグループ向けメディアを選択的に受信し、
前記送信側ワイヤレスデバイスから受信されたグループ向けメディアのサイズに基づいて前記グループ通信コンピュータと通信するデータストアに前記グループ向けメディアを送信するか否かを決定し、
データ配信サイズ制限を上回るグループ向けメディアを前記ワイヤレス通信ネットワーク上で選択的にアクセスするためにグループ向けメディアが送られる通信グループのメンバーのデータストアに送るように構成されたグループ通信コンピュータデバイス。
【請求項１５】
前記通信グループの前記他のメンバーワイヤレス通信デバイスに、データ配信サイズ制限を上回らないグループ向けメディアを直接送信するようにさらに構成された、請求項１４に記載のデバイス。
【請求項１６】
前記記憶されたグループ向けメディアのうちの前記グループ向けメディアについて前記通信グループのメンバーに通知するようにさらに構成された、請求項１４に記載のデバイス。
【請求項１７】
前記グループ向けメディアが前記ワイヤレス通信ネットワーク上の別のコンピュータデバイス上の対話型セッションであり、前記グループ通信デバイスが、前記通信グループの前記メンバーワイヤレス通信デバイスの前記対話型セッションへのアクセスを制御するように構成された、請求項１４に記載のデバイス。
【請求項１８】
前記グループ通信コンピュータデバイスが、ハイパーリンクを前記通信グループの前記他のメンバーワイヤレス通信デバイスに送信するようにさらに構成され、前記ハイパーリンクが、前記データストアの前記記憶されたグループ向けメディアへのリンクを提供する、請求項１４に記載のデバイス。
【請求項１９】
通信グループ識別データを、その通信グループ中のメンバーである要求側ワイヤレス通信デバイスに送信するようにさらに構成された、請求項１４に記載のデバイス。
【請求項２０】
前記ワイヤレス通信デバイスが前記通信グループの前記メンバーワイヤレス通信デバイスとのグループ通信に関与し、前記グループ通信コンピュータデバイスが前記グループ通信中にグループ向けメディアを送信するようにさらに構成された、請求項１４に記載のデバイス。
【請求項２１】
前記送信側ワイヤレス通信デバイスから受信したグループ向けメディアのタイプに基づいて、前記グループ向けメディアを前記データストアに送信すべきかどうかを決定するようにさらに構成された、請求項１４に記載のデバイス。
【請求項２２】
前記グループ向けメディアのプレビューを、前記グループ向けメディアの送信先である前記通信グループの前記メンバーワイヤレス通信デバイスのうちの少なくとも１つに送信するようにさらに構成された、請求項１４に記載のデバイス。
【請求項２３】
ワイヤレス通信ネットワーク上の複数のワイヤレス通信デバイス間のプッシュツートーク（ＰＴＴ）グループ通信においてメディアを共有するための方法であって、
ワイヤレス通信デバイスから前記ワイヤレス通信デバイスの通信グループの他のメンバーに送信されたグループ向けメディアをグループ通信コンピュータデバイスで受信することであって、前記ワイヤレス通信デバイスが、ワイヤレス通信ネットワーク上での直接グループ通信において互いに通信するワイヤレス通信デバイスの通信グループのメンバーであり、前記グループ通信コンピュータデバイスが、１つまたは複数の通信グループの前記メンバーワイヤレス通信デバイスを含む情報を記憶する、受信することと、
前記送信側ワイヤレスデバイスから受信されたグループ向けメディアのサイズに基づいて前記グループ通信コンピュータと通信するデータストアに前記グループ向けメディアを送信するか否かを決定することと、
前記少なくとも１つのグループ通信コンピュータデバイスからのデータ配信サイズ制限を上回るグループ向けメディアを前記データストアに送ることと、
前記データストアで前記少なくとも１つのワイヤレス通信デバイスからグループ指定されたメディアを受信することと、
前記グループ向けメディアの送信先である前記通信グループのメンバーワイヤレス通信デバイスが前記ワイヤレス通信ネットワーク上で前記記憶されたグループ向けメディアにアクセスすることを選択的に許可することと
を備える方法。
【請求項２４】
データ配信サイズ制限を上回らないグループ向けメディアを直接、送信側ワイヤレス通信デバイスの通信グループのうちの１つ以上の他のメンバワイヤレス通信デバイスに送信することをさらに具備する、請求項２３に記載の方法。
【請求項２５】
グループ向けメディアの前記送信が、ハイパーリンクを前記通信グループの前記他のメンバーワイヤレス通信デバイスに送信することであり、前記ハイパーリンクが、前記データストアの前記記憶されたグループ向けメディアへのリンクを提供する、請求項２３に記載の方法。
【請求項２６】
通信グループ識別データを前記ワイヤレス通信デバイスから前記グループ通信コンピュータデバイスに送信することと、
前記グループ向けメディアを前記グループ通信デバイスから前記通信グループ識別データ中で識別された前記メンバーワイヤレス通信デバイスに送信することと
をさらに備える、請求項２３又は請求項２４に記載の方法。
【請求項２７】
ワイヤレス通信デバイスがグループ向けメディアを送信するより前に、前記ワイヤレス通信デバイスが前記グループ通信コンピュータデバイスに通信グループのメンバーデータを要求し、通信グループ識別データを前記グループ通信コンピュータデバイスから前記要求側ワイヤレス通信デバイスに送信することをさらに備える、請求項２３又は請求項２４に記載の方法。
【請求項２８】
前記ワイヤレス通信デバイスが前記通信グループの前記メンバーワイヤレス通信デバイスとのグループ通信に関与し、前記グループ通信中に前記ワイヤレス通信デバイスからグループ向けメディアを送信することをさらに備える、請求項２３に記載の方法。
【請求項２９】
前記送信側ワイヤレス通信デバイスから受信したグループ向けメディアのタイプにさらに基づいて、前記グループ向けメディアを前記データストアに送信すべきかどうかを決定することをさらに備える、請求項２３に記載の方法。
【請求項３０】
前記通信グループの前記メンバーワイヤレスデバイスの各々との通信リンクを確立したときに、前記グループ向けメディアを前記通信グループの前記メンバーワイヤレスデバイスの各々に自動的に送信することをさらに備える、請求項２３に記載の方法。
【請求項３１】
通信グループの少なくとも１つのメンバーワイヤレスデバイスが前記グループ向けメディアを受信すると、グループ向けメディア配信が成功したことが前記グループ向けメディアのオリジネータにさらに通知される、請求項２３又は請求項２４に記載の方法。
【請求項３２】
前記通信グループの前記メンバーワイヤレスデバイスのうちの少なくとも１つが前記グループ向けメディアを受信すると、前記グループ通信コンピュータデバイスが、さらに、前記通信グループの少なくとも１つのメンバーワイヤレス通信デバイスが前記グループ向けメディアを受信したという肯定応答を、前記グループ向けメディアを送信した前記ワイヤレス通信デバイスにさらに送信する請求項２４に記載の方法。
【請求項３３】
前記グループ向けメディアのプレビューを、前記グループ向けメディアの送信先である前記通信グループのメンバーワイヤレス通信デバイスにさらに送信する請求項２３に記載の方法。
【請求項３４】
ワイヤレス通信ネットワークを介して１つまたは複数のワイヤレス通信デバイスにアクセス可能なプッシュツートーク（ＰＴＴ）グループ通信コンピュータデバイスであって、
通信グループのメンバーワイヤレス通信デバイスに関する情報を記憶するための手段と、
通信グループの送信側ワイヤレス通信デバイスからグループ向けメディアを受信するための手段と、
前記送信側ワイヤレス通信デバイスから受信したグループ向けメディアのサイズに基づいて、前記グループ向けメディアを前記グループ通信コンピュータデバイスと通信する前記データストアに送信すべきかどうかを決定するための手段と、
データ配信サイズ制限を上回るグループ向けメディアを前記ワイヤレス通信ネットワーク上で選択的にアクセスするためにグループ向けメディアが送られる通信グループのメンバーの前記データストアに送信するための手段と
を備えるグループ通信コンピュータデバイス。
【請求項３５】
前記通信グループの前記他のメンバーワイヤレス通信デバイスに、データ配信サイズ制限を上回らないグループ向けメディアを直接送信する手段をさらに具備する請求項３４記載のグループ通信コンピュータデバイス。
【誤訳訂正２】
【訂正対象書類名】明細書
【訂正対象項目名】００５４
【訂正方法】変更
【訂正の内容】
【００５４】
そうでなければ、判断２３２でのグループ向けメディアを受信することができるグループの各メンバーのために、次に、判断２３８に示すように、グループ向けメディアが直接送信されるのに大きすぎるかどうかに関する判断を行う。２３８でメディアが大きすぎる場合、ステップ２３４に示すように、グループ向けメディアをデータストア３６に送信し、ステップ２３６に示すように、通知およびリンクをターゲットデバイスに送信する。そうでなければ、判断２３８でメディアが送信するのに大きすぎない場合、判断２４０に示すように、メディアがターゲットメンバーに送信するのに正しいタイプであるかどうかに関する判断を行う。メディアが、ターゲットデバイスによって受信可能であるとして知られるタイプでない場合、グループ向けメディアをデータストア３６で記憶し（ステップ２３４）、通知およびリンクをターゲットデバイスに送信する（ステップ２３６）。そうでなければ、グループ向けメディアが、ターゲットメンバーによって受信できるタイプである場合、ステップ２４２に示すように、グループ向けメディアを（１つまたは複数の）メンバーデバイスに送信する。次いで、グループ向けメディアを送信する（ステップ２４２）か、または通知およびリンクをターゲットデバイスに送信した（ステップ２３６）後、プロセスは終了する（終了２４４）。